(57)【要約】【課題】  本人であるか否かを判定するばかりでなく、本人でないと判定した場合に、ユーザがそれを知ることができる個人認証装置を提供する。【解決手段】  本発明によると、認証対象者の生体情報より本人であるか否かを判定し、本人でないと判定した場合には、生体情報を記憶手段に記憶する。更に、その生体情報を、管理センタに送信する。更に、認証対象者を撮像装置により撮像し、位置検出手段によって位置を検出する。これらの情報を管理センタへ送信する。管理センタは必要なアクションをとることができる。【選択図】  図１
2005213817.tif 000002
【特許請求の範囲】
【請求項１】
認証対象者の生体情報を取り込む生体情報取り込み手段と、該生体情報取り込み手段によって取り込まれた生体情報に基づいて認証対象者を本人であると認証する認証手段と、生体情報を記憶する記憶手段と、を有し、上記認証手段が認証対象者を本人であると認証しなかった場合に、上記生体情報取り込み手段によって取り込まれた生体情報を上記記憶手段に記憶することを特徴とする個人認証装置。
【請求項２】
請求項１に記載の個人認証装置において、上記認証手段が認証対象者を本人であると認証しなかった場合に、上記生体情報取り込み手段によって取り込まれた生体情報を外部に送信することを特徴とする個人認証装置。
【請求項３】
請求項１に記載の個人認証装置において、更に、認証対象者を撮像する撮像装置を設け、上記認証手段が認証対象者を本人であると認証しなかった場合に、上記撮像装置によって認証対象者を撮像することを特徴とする個人認証装置。
【請求項４】
請求項３に記載の個人認証装置において、上記認証手段が認証対象者を本人であると認証しなかった場合に、上記撮像装置によって撮像された撮像情報を上記記憶手段に記憶することを特徴とする個人認証装置。
【請求項５】
請求項３又は４に記載の個人認証装置において、上記認証手段が認証対象者を本人であると認証しなかった場合に、上記撮像装置によって撮像された撮像情報を外部に送信することを特徴とする個人認証装置。
【請求項６】
請求項１〜５に記載の個人認証装置において、更に、現在位置を検出する位置検出手段を設け、上記認証手段が認証対象者を本人であると認証しなかった場合に、上記位置検出手段によって得られた位置情報を外部に送信することを特徴とする個人認証装置。
【請求項７】
請求項１〜６に記載の個人認証装置において、上記生体情報取り込み手段は生体情報として血管パターンを得ることを特徴とする個人認証装置。
【請求項８】
請求項７に記載の個人認証装置において、上記生体情報取り込み手段は生体情報として指静脈の血管パターンを得ることを特徴とする個人認証装置。
【発明の詳細な説明】
【技術分野】
【０００１】
本発明は生体情報を用いて個人を認証する個人認証装置に関し、特に防犯に使用して好適な個人認証装置に関する。
【背景技術】
【０００２】
近年、人体の一部を鍵として個人を認証する生体認証技術が普及している。生体認証技術は、暗証番号や暗号鍵を使用する方法に比べて、遺失や盗難等による不正行使の恐れが少ない、生体の表面ではなく内部の特徴を取り扱うため、偽造が困難である等の利点がある。生体認証技術としては、指紋、顔、虹彩、手や指の血管パターンなどを用いた様々な手法が研究されている。中でも、指の血管パターンを用いた認証方法は、指紋のように犯罪を連想させることもなく、虹彩のように直接眼球に光を照射することがないので心理的抵抗感が少ない。
【０００３】
特許文献１には、生体情報として指紋を利用した自動車のドアロック解除装置が開示されている。また、特許文献２には、鍵の中にトランスポンダーと呼ばれるＩＣを埋め込み、トランスポンダーからのＩＤ情報を識別することによりエンジンの始動を制御するイモビライザ装置が記載されている。
【特許文献１】特開昭６１−５３９７２号公報
【特許文献２】特開２０００−１０８８４８号公報
【発明の開示】
【発明が解決しようとする課題】
【０００４】
従来の装置では、不正な開錠、不正なエンジン始動等を防止することはできるが、そのような不正行為を行った者に対して積極的に行動することができなかった。
【０００５】
本発明の目的は、本人であるか否かを判定するばかりでなく、本人でないと判定した場合に、ユーザがそれを知ることができるシステムを提供することにある。
【課題を解決するための手段】
【０００６】
本発明によると、認証対象者の生体情報より本人であるか否かを判定し、本人でないと判定した場合には、生体情報を記憶手段に記憶する。更に、その生体情報を、管理センタに送信する。更に、認証対象者を撮像装置により撮像し、位置検出手段によって位置を検出する。これらの情報を管理センタへ送信する。管理センタは必要なアクションをとることができる。
【発明の効果】
【０００７】
本発明によれば、本人であるか否かを判定するばかりでなく、本人でないと判定した場合に、ユーザがそれを知ることができる。
【発明を実施するための最良の形態】
【０００８】
図１を参照して本発明の個人認証装置の第１の例を説明する。本例の個人認証装置１は、認証処理を開始させると同時に指の位置決め装置として機能する認証開始スイッチ１０１、赤外光を発光する赤外光源１０２、ノイズを除去し赤外光のみを取り出す赤外透過フィルタ１０３、赤外光を集光するレンズ１０４、赤外光による像を撮像するイメージセンサ１０５、認証処理を行うマイクロコンピュータ１０６、１又は複数のユーザの生体情報を記憶する不揮発性のメモリ１０７、赤外光源１０２を駆動する駆動回路１０８、個人認証装置の各部に電源を供給する電源回路１０９、マイクロコンピュータ１０６による認証結果を管理センタ４００に送信する通信手段１１０、及び、認証結果等を表示する表示手段１１１とを有する。
【０００９】
個人認証装置１は制御対象３００に設定されている。従って、マイクロコンピュータ１０６による認証結果に基づいて、制御対象３００に制御信号が送信される。制御対象３００は、自動車等の車両のエンジン始動部、ドアの開閉制御部、住宅やビル等の鍵であってよい。
【００１０】
マイクロコンピュータ１０６は、認証処理プログラムを有し、それによって認証処理を実行してよい。マイクロコンピュータ１０６は、イメージセンサ１０５によって得られた画像情報とメモリ１０７に登録された生体情報を比較し、認証対象者が本人であるか否かを判定する。
【００１１】
本例によると、マイクロコンピュータ１０６による認証の結果、本人でないと判定された場合、その人の生体情報がメモリ１０７に格納される。即ち、メモリ１０７には、予め登録されたユーザの生体情報と本人でないと判定された人の生体情報が格納される。従って、本人でないと判定された場合、その人が過去に本人でないと判定されたことがあるか否かを判定することができる。
【００１２】
本人でないと判定された場合、その旨のメッセージが表示手段１１１に表示される。この場合、過去の判定の履歴が表示されてよい。個人認証装置を管理する者は、メモリ１０７に格納された本人でないと判定された人の生体情報を利用して防犯措置を講じることができる。
【００１３】
本例では更に、本人でないと判定された場合、その人の生体情報は、通信手段１１０を介して管理センタ４００に送信される。管理センタ４００は、生体情報を格納したデータベースを有し、複数の個人認証装置から送信された本人でないと判定された人の生体情報を蓄積する。管理センタ４００は、個人認証装置から送信された生体情報を、データベースに蓄積された生体情報と照合し、一致する生体情報が存在する場合には、その旨を、個人認証装置に返信してもよい。必要な場合には、制御対象の持ち主へ連絡し、現場へ急行する等の必要な行動を行う。それにより防犯措置を講じることができる。
【００１４】
図２を参照して本発明による個人認証装置の第１の例の動作を説明する。ステップＳ１０１にて、認証対象者が、電源スイッチ３をオンにすると、電源回路１０９には電源２が供給される。本例の個人認証装置を車両に適用する場合、電源スイッチ３はイグニッション・キー・スイッチによって代用してもよい。駆動回路１０８によって赤外光源１０２が駆動され、赤外線が生成される。
【００１５】
ステップＳ１０２にて、マイクロコンピュータ１０６は、必要な初期化処理を行う。初期化処理の内容は、例えば、マイクロコンピュータ１０６に内蔵されたメモリの初期化及びイメージセンサ１０５の初期設定等である。
【００１６】
認証対象者は、自身の指２００の先端を赤外光源１０２と赤外フィルタ１０３の間に配置する。指２００の甲の表面に、赤外光源１０２から赤外光が照射される。赤外光の一部は指２００を透過し、指の腹の表面から外へ出る。指から出た赤外光は、赤外透過フィルタ１０３によって、ノイズとなる可視光がカットされ、赤外光のみが透過する。赤外透過フィルタ１０３からの赤外光は、レンズ１０４によって集光され、イメージセンサ１０５によって受光される。赤外光は血液のヘモグロビンによって吸収されるため、血管パターンの影による像が得られる。血管パターンは、個人により異なるので、個人を識別するための鍵として利用することができる。
【００１７】
認証対象者は、指２００の先端によって認証開始スイッチ１０１を押す。認証開始スイッチ１０１は、指の位置決めの機能を有し、指の先端が認証開始スイッチ１０１に触れたときに、血管パターンの像を撮像する。従って、常に同一の血管パターンの像が得られる。
【００１８】
ステップＳ１０３にて、マイクロコンピュータ１０６は、認証開始スイッチ１０１からの信号を受信すると、認証処理を開始する。上述のように、実際には、認証処理プログラムが認証処理を実行する。ステップＳ１０４にて、マイクロコンピュータ１０６は、イメージセンサ１０５によって得られた血管パターンより特徴パラメータを抽出する。ステップＳ１０５にて、マイクロコンピュータ１０６は、抽出した特徴パラメータとメモリ１０７に登録されたユーザの特徴パラメータを照合する。特徴パラメータの抽出及び照合方法は周知技術であり、ここでは詳細に説明しない。本例では、血管パターンとして、特に、指の静脈パターンを使用する。ステップＳ１０６にて、マイクロコンピュータ１０６は、両者が一致するなら、本人であると認証し、両者が一致しないなら本人でないと判定する。
【００１９】
本人であると認証した場合には、ステップＳ１０７にて、表示手段１１１にて、本人であると認証した旨のメッセージを表示する。ステップＳ１０８にて、マイクロコンピュータ１０６は、許可の信号を制御対象３００に送信する。例えば、制御対象３００がエンジンである場合には、イグニッション信号を送信し、制御対象３００が鍵である場合には、開錠許可の信号を送信する。
【００２０】
本人でないと認証した場合には、ステップＳ１０９にて、表示手段１１１にて、本人でないと認証した旨のメッセージを表示する。この場合、上述のように、過去に本人でないと認証した前歴がある場合にはその旨を表示してよい。
【００２１】
ステップＳ１１０にて、マイクロコンピュータ１０６は、不許可の信号を制御対象３００に送信する。例えば、制御対象３００がエンジンである場合には、イグニッション不可信号を送信し、制御対象３００が鍵である場合には、開錠不許可の信号を送信する。
【００２２】
ステップＳ１１１にて、マイクロコンピュータ１０６は、イメージセンサ１０５によって得られた生体情報、即ち、血管パターン又はその特徴パラメータをメモリ１０７に記憶する。こうして、メモリ１０７には、本人でないと判定された人の生体情報が蓄積される。ステップＳ１１２にて、マイクロコンピュータ１０６は、通信手段１１０を介して、生体情報を管理センタ４００に送信する。
【００２３】
図３を参照して本発明による個人認識装置の第２の例を説明する。本例の個人認識装置は、図１の第１の例と比較して、撮像手段１２０及び位置検出手段１２１が付加的に設けられている点が異なる。撮像手段１２０は、認証対象者及び認証対象者の周囲を撮像する。それにより、認証対象者の顔、眼鏡、髪形、服装等の人物情報と認証対象者の周囲の状況を示す周囲情報が得られる。
【００２４】
位置検出手段１２１は、個人認証装置が配置されている位置を検出する。それにより、個人認証装置の現在位置が得られる。位置検出手段１２１は、例えば、ＧＰＳ（Global Positioning System）を利用して位置情報を検出してよい。マイクロコンピュータ１０６による認証の結果、本人でないと判定された場合、撮像手段１２０による画像情報と位置検出手段１２１による位置情報は、メモリ１０７に記憶されると共に、通信手段１１０を介して管理センタ４００に送信される。
【００２５】
管理センタ４００は、上述のようには本人でないと判定された人の生体情報を蓄積したデータベースを有する。管理センタ４００は、個人認証装置から送信された画像情報及び位置情報を生体情報と共に、このデータベースに記憶する。管理センタ４００は、新たに送信されたこれらの情報とデータベースに登録されている情報を照合し、一致する情報が存在する場合には、その旨を、個人認証装置１又はそれが設置されている制御対象３００の管理者に通知し、必要であれば、現場に急行する。管理センタ４００は、認証対象者の画像を、例えば、車両の持ち主へ送信する。車両の持ち主は、認証対象者の画像から知人であるか否かを判定し、必要な措置を取ることができる。
【００２６】
図４を参照して本発明による個人認証装置の第２の例の動作を説明する。本例の個人認識装置の動作は、図２の第１の例の動作と比較して、ステップＳ１０１からステップＳ１０９までは同一であるが、ステップＳ１２０からステップＳ１２４が異なる。ここでは、同一のステップの説明は省略し、異なるステップのみ説明する。
【００２７】
ステップＳ１２０にて、撮像手段１２０によって認証対象者を撮像し、位置検出手段１２１によって個人認証装置の現在位置を検出する。ステップＳ１２１にて、マイクロコンピュータ１０６は、不許可の信号を制御対象３００に送信する。ステップＳ１２２にて、マイクロコンピュータ１０６は、イメージセンサ１０５によって得られた生体情報と、撮像手段１２０によって得られた画像情報と位置検出手段１２１によって得られた位置情報を、メモリ１０７に記憶する。ステップＳ１２３にて、マイクロコンピュータ１０６は、通信手段１１０を介して、生体情報、画像情報及び位置情報を管理センタ４００に送信する。
【００２８】
図５は、本発明の個人認証装置をナビゲーション装置に組み込んだ例を示す。本例の装置は、ケーシング５１とケーシングの前面に配置された表示手段５２と、ケーシングの前面に配置された撮像装置５３と、ＧＰＳアンテナ５４と、個人認証装置とを有する。個人認証装置は、指の先端を挿入する凹部５５を有する。この凹部５５の奥に、認証開始スイッチ１０１が設けられている。表示手段５２は、ナビゲーションの画面と認証結果の表示を切り換えて表示する。本例では、表示手段５２は表示手段１１１の機能を代用し、撮像装置５３は撮像手段１２０の機能を代用し、ＧＰＳアンテナ５４を含むナビゲーション装置は、位置検出手段１２１の機能を代用する。
【００２９】
尚、本発明の個人認証装置を車両に組み込んでもよい。この場合、表示手段５２は、インスツルメントパネルの表示部の一部によって代用してよい。撮像装置５３は、ルームミラーやインスツルメントパネルに装着してもよい。
【００３０】
本発明による個人認証装置は、自動車等の車両のエンジン始動部に適用してよいが、ドアの開閉制御、住宅やビルなどの入室制御等の特定の許可された者のみの利用又は通過を管理する装置であればどのような設備にも適用が可能である。また、上述の個人認証装置は血管パターンを認証の鍵として利用したが、指紋などの他の生体部分を認証の鍵として利用してもよい。
【００３１】
以上本発明の例を説明したが、本発明は上述の例に限定されるものではなく、特許請求の範囲に記載された発明の範囲にて様々な変更が可能であることは当業者に容易に理解されよう。
【図面の簡単な説明】
【００３２】
【図１】本発明による個人認証装置の第１の例の構成を示す図である。
【図２】本発明による個人認証装置の第１の例の動作を説明するための説明図である。
【図３】本発明による個人認証装置の第２の例の構成を示す図である。
【図４】本発明による個人認証装置の第２の例の動作を説明するための説明図である。
【図５】本発明による個人認証装置をナビゲーション装置に組み込んだ例を示す図である。
【符号の説明】
【００３３】
１…個人認証装置、１０１…認証開始スイッチ、１０２…赤外光源、１０３…赤外透過フィルタ、１０４…レンズ、１０５…イメージセンサ、１０６…マイクロコンピュータ、１０７…メモリ、１０８…駆動回路、１０９…電源回路、１１０…通信手段、１１１…表示手段、２００…指、３００…制御対象、４００…管理センタ
【図１】
2005213817.tif 000003
【図２】
2005213817.tif 000004
【図３】
2005213817.tif 000005
【図４】
2005213817.tif 000006
【図５】
2005213817.tif 000007